(57)【要約】【課題】  全高が低い薄厚形状の構成を採り、例えば２次側のピン端子とコアとの間について沿面距離を十分に得ることができ、安全規格の仕様に対応した空間・沿面距離を確保することができるトランスを提供すること【解決手段】  樹脂性のボビン１を薄厚形状に形成し、ボビンは扁平形状の筒部５の両端にベース板６を張り出させて一体に形成し、ベース板の端面には複数のピン端子２…を埋め込んで設け、筒部５へ線材３を巻き付けると共にベース板上にコア４を組み付ける。ベース板には例えば２次側となる一方について、ピン端子２…の並び列に沿う障壁８を一体に設け、障壁８にさらに、ピン端子２…の並び列に沿う凸部９を一体に設ける。ベース板６には少なくとも例えば２次側となる一方について両側に側壁７を一体に設ける。例えば２次側に、障壁，凸部および側壁を設けるので、沿面距離を長く得ることができる。【選択図】      図２
2009206111.tif 000002
【特許請求の範囲】
【請求項１】
樹脂等の電気絶縁性の素材を用いてボビンを薄厚形状に形成し、当該ボビンは扁平形状の筒部の両端にベース板を張り出させて一体に形成し、前記ベース板の端面には複数のピン端子を埋め込み設け、前記筒部へ線材を巻き付けると共に前記ベース板上にコアを組み付けるトランスにおいて、
前記ベース板の一方について、前記ピン端子の並び方向に沿う障壁を一体に設けると共に、当該障壁にさらに前記ピン端子の並び方向に沿う凸部を一体に設けることを特徴とするトランス。
【請求項２】
樹脂等の電気絶縁性の素材を用いてボビンを薄厚形状に形成し、当該ボビンは扁平形状の筒部の両端にベース板を張り出させて一体に形成し、前記ベース板の端面には複数のピン端子を埋め込み設け、前記筒部へ線材を巻き付けると共に前記ベース板上にコアを組み付けるトランスにおいて、
前記ベース板の一方について、前記ピン端子の並び列に沿う障壁を一体に設けると共に、当該障壁にさらに前記ピン端子の並び方向に沿う凹部を一体に設けることを特徴とするトランス。
【請求項３】
前記ベース板の一方について、両側に側壁を一体に設けることを特徴とする請求項１あるいは２の何れか１項に記載のトランス。
【請求項４】
前記コアは、Ｉ型コアとロ型コアとを組み合わせて構成することを特徴とする請求項１から３の何れか１項に記載のトランス。
【請求項５】
前記コアは、Ｉ型コアとＥ型コアとを組み合わせて構成することを特徴とする請求項１から３の何れか１項に記載のトランス。
【発明の詳細な説明】
【技術分野】
【０００１】
本発明は、略平板形状の形態を採り薄厚型で小型化したトランスに関するもので、より具体的には、ベース板の端面に設けたピン端子とベース板上に組み付けたコアとの絶縁性の改良に関する。
【背景技術】
【０００２】
トランスの一つに、例えばＤＣ−ＤＣコンバータ等の用途において、全高が低い薄厚形状の構成を採るものがある。これは、トランスも他の電子部品と同様に薄厚，小型化が進められていることによる。薄厚形状のトランスは、いわゆる表面実装の用途を想定しており、高容量化の要求に応じて長手寸法を延長した帯板形状に形成することが多い。
【０００３】
この種のトランスは、樹脂等からボビンを薄厚形状に形成する。このボビンは、扁平形状の筒部の両端にベース板を張り出させて一体に形成し、ベース板の端面には複数のピン端子を埋め込むように設けいる。そして、その筒部へ線材を巻き付けると共にベース板上にコアを組み付ける構成になっている。
【０００４】
コアは、フェライト材料から形成する。コアは、１次側，２次側の何れとも絶縁した単独の構成要素をなすが、安全規格に係る絶縁性を検討する際は、１次側，２次側の何れかの一方と見なす。したがって、安全規格に係る絶縁性から、例えば２次側のピン端子とコアとの間について絶縁を良好にする必要があり、空間距離を十分に確保することはもちろん、沿面距離を所定量確保することが設計要求になっている。
【０００５】
ピン端子とコアとの間についての沿面距離に関する技術としては、例えば特許文献１，２などに見られるような提案がある。これらのものは、薄厚形状の構成を採るものではなく、ボビンは、筒部の両端に端子部を張り出させるとともに下側に突出するように位置して支持部を備えた構造となる。そして、上側の筒部へ線材を巻き付けると共に当該筒部側へコアを組み付けるブロック形状の構成になっている。
【特許文献１】特開２００２−１１８０２３号公報
【特許文献２】特開平１１−２９７５３５号公報
【発明の開示】
【発明が解決しようとする課題】
【０００６】
薄厚形状のトランスは、上述したように、高容量化の要求に応じて長手寸法を延長した帯板形状に形成することが多く、その長手方向の両端にそれぞれピン端子を配置することから、１次側，２次側のピン端子の相互間については、空間距離および沿面距離は十分に確保することができる。しかし、コアは中央に位置し、１次側，２次側の何れとも隣接していて例えば１次側と見なすことになる。したがって、例えば２次側とコアとの間については隣接する配置のため空間・沿面距離が不十分になる問題があり、安全規格の仕様に対応した空間・沿面距離を確保するには適切な対策を必要とする。
【０００７】
この発明は上述した課題を解決するもので、その目的は、全高が低い薄厚形状の構成を採り、例えば２次側のピン端子とコアとの間について沿面距離を十分に得ることができ、安全規格の仕様に対応した絶縁を確保することができるトランスを提供することにある。
【課題を解決するための手段】
【０００８】
上述した目的を達成するために、本発明に係るトランスは、樹脂等の電気絶縁性の素材を用いてボビンを薄厚形状に形成し、当該ボビンは扁平形状の筒部の両端にベース板を張り出させて一体に形成し、ベース板の端面には複数のピン端子を埋め込み設け、筒部へ線材を巻き付けると共にベース板上にコアを組み付けるトランスにおいて、ベース板の一方について、ピン端子の並び方向（並び列）に沿う障壁を一体に設けると共に、当該障壁にさらにピン端子の並び列に沿う凸部を一体に設ける構成にする（請求項１）。
【０００９】
また、樹脂等の電気絶縁性の素材を用いてボビンを薄厚形状に形成し、当該ボビンは扁平形状の筒部の両端にベース板を張り出させて一体に形成し、ベース板の端面には複数のピン端子を埋め込み設け、筒部へ線材を巻き付けると共にベース板上にコアを組み付けるトランスにおいて、ベース板の一方について、ピン端子の並び列に沿う障壁を一体に設けると共に、当該障壁にさらにピン端子の並び方向に沿う凹部を一体に設ける構成にする（請求項２）。
【００１０】
また、ベース板の一方について、両側に側壁を一体に設ける構成にするとよい（請求項３）。さらにまた、コアは、Ｉ型コアとロ型コアとを組み合わせて構成したり（請求項４）、あるいはＩ型コアとＥ型コアとを組み合わせて構成したりすると良い（請求項５）。
【００１１】
係る構成にすることにより本発明では、例えば２次側は、障壁がピン端子とコアとの間に位置し、さらに障壁には凸部あるいは凹部を設けているので沿面距離を長く得ることができる。また、両側に側壁を設けるようにした場合には、当該側方について沿面距離を長く得ることができる。
【発明の効果】
【００１２】
本発明に係るトランスでは、障壁がピン端子とコアとの間に位置し、さらに障壁には凸部あるいは凹部を設けている。また、両側には側壁を設けている。したがって、例えば２次側のピン端子とコアとの間について沿面距離を十分に得ることができる。その結果、安全規格の仕様に対応した空間・沿面距離を確保することができる。
【発明を実施するための最良の形態】
【００１３】
図１は本発明の好適な第１実施形態を示している。本形態において、トランスは、電気絶縁性の素材の１つである樹脂性のボビン１を薄厚形状に形成すると共に、ボビン１の両端部には複数のピン端子２…を埋め込むことで設けている。そして、そのボビン１に線材３を巻き付けると共にコア４を組み付ける構成になっている。
【００１４】
ボビン１は、図２に示すように、線材３を巻き付ける筒部５を薄い扁平な帯板形状に形成し、筒部５の両端にベース板６を一体に成形すると共に、それぞれベース板６の端面にピン端子２…を埋め込ませて設けている。
【００１５】
ピン端子２…は、ベース板６の端面から突き出た部位をクランク状に曲げ加工してある。そして、そのピン端子２の先端の接合部位を、プリント基板のランドパターンに接面させてはんだ付けすることで実装する。はんだ付けは、リフローによる加熱方法が一般的である。
【００１６】
ベース板６には、両側に側壁７を一体に設けている。側壁７は、それぞれ側部について沿面距離を延長させる障壁になっている。ベース板６の端面は、ピン端子２…が突き出し、それらの端子部になっている。従って、例えば２次側となる一方には障壁８を一体に設ける。この障壁８は、ピン端子２…が並ぶ列（並ぶ方向）に沿って厚く形成している。さらにこの障壁８には、凸部９を一体に設けている。凸部９は、ピン端子２…の並ぶ列に沿って形成し、当該部位について沿面距離を延長させる障壁になっている。
【００１７】
コア４は、Ｉ型コア４１とロ型コア４２の２つを組み合わせる構成とし、Ｉ型コア４１をボビン１の筒部５へ嵌め込んだ状態でロ型コア４２を上方から組み付けるようにしている。コア４としては、本実施形態のようにＩ型コア４１，ロ型コア４２の組み合わせに限ることはなく、例えばＩ型コアとＥ型コアの２つを組み合わせる構成にすることもよい。つまり、Ｅ型コアの３本の足の先端部分にＩ型コアを接触させる構成を採る。
【００１８】
こうした薄厚形状のトランスは、例えばインバータトランスに組み上げるものであり、薄型の液晶ディスプレイなどの駆動系に適用が好ましい。この場合、１次−２次間の空間・沿面距離は、障壁８がピン端子２…とコア４との間に位置し、さらに障壁８には凸部９を設けているので沿面距離を長く得ることができる。また、両側には側壁７を設けているので、当該側方について沿面距離を長く得ることができる。そして、凸部９の突き出し長さは適宜に変更でき、沿面距離を適切に調整することができる。
【００１９】
したがって、例えば２次側のピン端子２…とコア４との間について沿面距離を十分に得ることができ、安全規格の仕様に対応した距離を確保することができる。
【００２０】
図４，図５，図６は本発明の好適な第２実施形態を示している。本形態においてトランスは、第１実施形態と概ね同様であり、樹脂性のボビン１を薄厚形状に形成すると共に、ボビン１の両端部には複数のピン端子２…を埋め込んで設けてあって、そのボビン１に線材３を巻き付けると共にコア４を組み付ける構成になっている。なお、第１実施形態と同様な構成には同一符号を付して、その説明を省略する。
【００２１】
この第２実施形態では、ボビン１の構成を異ならせている。つまり、ボビン１の例えば２次側について、障壁８には凸部９は設けない構成を採り、障壁８に凹部１０を一体に設けている。凹部１０は、ピン端子２…の並び列に沿って形成し、当該部位について沿面距離を延長させる障壁になっている。
【００２２】
この場合も第１実施形態と同様であり、１次−２次間の距離は、障壁８がピン端子２…とコア４との間に位置し、さらに障壁８には凹部１０を設けているので沿面距離を長く得ることができる。また、両側には側壁７を設けているので、当該側方についても沿面距離を長く得ることができる。そして、凹部１０の深さや幅は適宜に変更でき、沿面距離を適切に調整することができる。
【００２３】
したがって、例えば２次側のピン端子２…とコア４との間について沿面距離を十分に得ることができ、安全規格の仕様に対応した空間・沿面距離を確保することができる。
【図面の簡単な説明】
【００２４】
【図１】本発明に係るトランスの第１の実施形態を示す斜視図である。
【図２】図１に示すトランスについてコアを分離して示す斜視図である。
【図３】図１，図２に示すトランスの断面図である。
【図４】本発明に係るトランスの第２の実施形態を示す斜視図である。
【図５】図４に示すトランスについてコアを分離して示す斜視図である。
【図６】図４，図５に示すトランスの断面図である。
【符号の説明】
【００２５】
１  ボビン
２  ピン端子
３  線材
４  コア
５  筒部
６  ベース板
７  側壁
８  障壁
９  凸部
１０  凹部
４１  Ｉ型コア
４２  ロ型コア
【図１】
2009206111.tif 000003
【図２】
2009206111.tif 000004
【図３】
2009206111.tif 000005
【図４】
2009206111.tif 000006
【図５】
2009206111.tif 000007
【図６】
2009206111.tif 000008